(57)【要約】【課題】外部空間に対する遮蔽性を高めるとともに、外部空間に通じるスリットを作業者が通過し易くなるセキュリティルームを提供することを課題とする。【解決手段】作業空間Ａ１と外部空間Ｂとの間に設けられるセキュリティルーム１であって、作業空間Ａ１に通じる前室２と、前室２に通じるともに、エアシャワー装置３ａが設けられた洗浄室３と、洗浄室３に通じる更衣室４と、を備え、更衣室４には、外部空間Ｂに通じる出入口２４ａが形成され、出入口２４ａはシート１１，１２によって塞がれており、シート１１，１２には縦方向および横方向に連続して形成されたスリット２４ｂが形成され、スリット２４ｂはファスナー２４ｃによって開閉自在となっている。【選択図】図２
2015004196.tif 000002
【特許請求の範囲】
【請求項１】
作業空間と外部空間との間に設けられるセキュリティルームであって、
前記作業空間に通じる前室と、
前記前室に通じるともに、エアシャワー装置が設けられた洗浄室と、
前記洗浄室に通じる更衣室と、を備え、
前記更衣室には、前記外部空間に通じる出入口が形成され、前記出入口はシートによって塞がれており、
前記シートには縦方向および横方向に連続して形成されたスリットが形成され、前記スリットはファスナーによって開閉自在であることを特徴とするセキュリティルーム。
【請求項２】
前記ファスナーは線ファスナーであることを特徴とする請求項１に記載のセキュリティルーム。
【発明の詳細な説明】
【技術分野】
【０００１】
本発明は、作業空間と外部空間との間に設けられるセキュリティルームに関する。
【背景技術】
【０００２】
アスベスト（石綿）やダイオキシン等の有害物質の処理作業を行った作業者が、作業空間から外部空間に移動するときには、作業者に付着した塵を除去する必要がある。そこで、作業空間と外部空間との間で作業者が作業着を脱衣するとともに、作業者の身体に付着した塵を除去するためのセキュリティルームを設けている。
【０００３】
従来のセキュリティルームとしては、作業空間に通じる前室と、前室に通じる洗浄室と、洗浄室に通じるとともに、外部空間に通じる更衣室と、を備え、洗浄室にエアシャワー装置が設けられているものがある（例えば、特許文献１参照）。
【０００４】
作業者が作業空間から外部空間に移動する場合には、まず、作業者は作業空間から前室に移動し、前室で作業着を脱衣する。その後、作業者は洗浄室に移動し、身体に付着した塵をエアシャワー装置から噴出されたエアによって除去する。さらに、作業者は更衣室に移動し、衣服を着用して外部空間に移動する。
【先行技術文献】
【特許文献】
【０００５】
【特許文献１】特開２０１２−２２５１５６号公報
【発明の概要】
【発明が解決しようとする課題】
【０００６】
前記した従来のセキュリティルームの各出入口はシートによって塞がれている。シートには縦方向にスリットが形成されており、作業者はスリットの間を通過して隣の空間に移動している。セキュリティルームでは、外部空間に通じるスリットを小さくして、外部空間に対する遮蔽性を高めることが望ましいが、スリットが小さいと、作業者がスリットを通過し難いという問題がある。
【０００７】
本発明は、前記した問題を解決し、外部空間に対する遮蔽性を高めるとともに、外部空間に通じるスリットを作業者が通過し易くなるセキュリティルームを提供することを課題とする。
【課題を解決するための手段】
【０００８】
前記課題を解決するため、作業空間と外部空間との間に設けられるセキュリティルームであって、前記作業空間に通じる前室と、前記前室に通じるともに、エアシャワー装置が設けられた洗浄室と、前記洗浄室に通じる更衣室と、を備え、前記更衣室には、前記外部空間に通じる出入口が形成され、前記出入口はシートによって塞がれており、前記シートには縦方向および横方向に連続して形成されたスリットが形成され、前記スリットはファスナーによって開閉自在となっている。
【０００９】
この構成では、スリットをファスナーによって封止することで、更衣室と外部空間との間を確実に遮蔽することができるため、外部空間に対する遮蔽性を高めることができる。
また、スリットが縦方向だけではなく横方向にも連続して形成されており、スリットを開いたときの開口幅が大きくなるため、作業者がスリットを通過し易くなっている。
【００１０】
前記したセキュリティルームにおいて、前記ファスナーが線ファスナーである場合には、スリットをスムーズに開閉することができる。
【発明の効果】
【００１１】
本発明のセキュリティルームでは、スリットをファスナーによって封止することで、外部空間に対する遮蔽性を高めることができる。また、スリットが縦方向および横方向に連続して形成されており、スリットを開いたときの開口幅が大きくなるため、作業者がスリットを通過し易くなっている。
【図面の簡単な説明】
【００１２】
【図１】本実施形態のセキュリティルームを示した側断面図である。
【図２】本実施形態のセキュリティルームを示した斜視図である。
【図３】本実施形態のセキュリティルームの組み立て手順を示した図で、下部シートに骨組みを載置した状態の斜視図である。
【図４】本実施形態のセキュリティルームの組み立て手順を示した図で、骨組みを下部シートおよび上部シートによって覆った状態の斜視図である。
【発明を実施するための形態】
【００１３】
本発明の実施形態について、適宜図面を参照しながら詳細に説明する。
本実施形態のセキュリティルーム１は、図１に示すように、アスベストやダイオキシン等の有害物質を処理する作業空間Ａ１と、外部空間Ｂとの間に設けられるものである。
作業者はセキュリティルーム１内で作業着を脱衣するとともに、身体に付着した塵を除去した後に外部空間Ｂに移動する。
【００１４】
セキュリティルーム１は、図２に示すように、下部シート１１と、下部シート１１の上面に載置された骨組み２０と、骨組み２０の上面および側面を覆う上部シート１２と、を備えている。
【００１５】
下部シート１１は、地面に敷かれたシートであり、ビニール製、ポリエチレン製またはポリプロピレン製等の樹脂製のシートである。
【００１６】
骨組み２０は、樹脂製の複数のパイプをパイプ継手によって縦方向および横方向に連結した直方体の構造物である。骨組み２０は、地面に対して垂直に立設され、長手方向に等間隔に並設された四つの矩形の枠体２１〜２４を有し、隣接する枠体２１〜２４の各角部の間にパイプが介設されている。
【００１７】
骨組み２０は、下部シート１１の上面に載置されている。なお、下部シート１１は、骨組み２０の底面よりも大きく形成されている（図３参照）。下部シート１１の外周縁部は、上向きに折り曲げられており、骨組み２０の側面の下部を覆っている。
【００１８】
上部シート１２は、骨組み２０の上面および側面を覆うシートであり（図４参照）、ビニール製、ポリエチレン製またはポリプロピレン製等の樹脂製のシートである。
上部シート１２の下縁部と下部シート１１の上縁部とは、骨組み２０の内側から粘着テープ３０によって貼り合わされている。
【００１９】
下部シート１１および上部シート１２に覆われた骨組み２０の内部空間には、四つの枠体２１〜２４を境にして長手方向に三つの空間が区画されている。
図１において最も右側（作業空間Ａ１側）の空間は前室２であり、前室２の左側の空間は洗浄室３であり、洗浄室３の左側の空間は更衣室４となっている。また、図２に示すように、四つの枠体２１〜２４の開口領域は、作業者が隣り合う空間を移動するための出入口２１ａ〜２４ａとなっている。
【００２０】
前室２は、図１に示すように、建物Ａの開口部Ａ２に隣接して配置される空間であり、作業空間Ａ１から出た作業者が作業着を脱衣するための部屋となっている。
作業空間Ａ１と前室２との間には、図２に示すように、第一枠体２１によって第一出入口２１ａが形成されている。第一出入口２１ａは、下部シート１１および上部シート１２によって塞がれている。
【００２１】
第一出入口２１ａを塞いでいる下部シート１１および上部シート１２には、第一スリット２１ｂが形成されている。第一スリット２１ｂは、第一出入口２１ａの横方向の中間部において縦方向に延在するとともに、縦方向の下端部から横方向の両側に延在されており、逆Ｔ形状となっている。
【００２２】
洗浄室３は、前室２に隣接して配置される空間であり、作業着を脱衣した作業者の身体に付着した塵を除去するための部屋となっている。
洗浄室３には、作業者にエアを吹き付けるとともに、洗浄室３内の空気を吸引して集塵するエアシャワー装置３ａが設けられている。
【００２３】
前室２と洗浄室３との間には、第二枠体２２によって第二出入口２２ａが形成されている。第二出入口２２ａは間切りシート１３によって塞がれている。間切りシート１３は、ビニール製、ポリエチレン製またはポリプロピレン製等の樹脂製のシートである。
第二出入口２２ａを塞いでいる間切りシート１３には、第一スリット２１ｂと同じ形状の第二スリット２２ｂが形成されている。
【００２４】
更衣室４は、洗浄室３に隣接して配置される空間であり、作業者が衣服を着衣するための部屋となっている。
洗浄室３と更衣室４との間には、第三枠体２３によって第三出入口２３ａが形成されている。第三出入口２３ａは、第二出入口２２ａと同様に間切りシート１３によって塞がれており、間切りシート１３には第一スリット２１ｂおよび第二スリット２２ｂと同じ形状の第三スリット２３ｂが形成されている。
【００２５】
更衣室４と外部空間Ｂとの間には、第四枠体２４によって第四出入口２４ａが形成されている。第四出入口２４ａは、下部シート１１および上部シート１２によって塞がれている。
第四出入口２４ａを塞いでいる下部シート１１および上部シート１２には、第四スリット２４ｂが形成されている。
【００２６】
第四スリット２４ｂは、第四出入口２４ａの横方向の中間部よりも一方側（図２の手前側）において縦方向に延在するとともに、縦方向の下端部から他方側（図２の奥側）に延在されている。
すなわち、第四スリット２４ｂは縦方向および横方向に連続して形成されており、正面視でＬ形状に形成されている。
【００２７】
第四スリット２４ｂには線ファスナー２４ｃ（チャック）が設けられている。線ファスナー２４ｃを閉じることで第四スリット２４ｂを封止することができる。
【００２８】
次に、本実施形態のセキュリティルーム１を組み立てる手順について説明する。
まず、図３に示すように、地面に下部シート１１を敷き広げて、下部シート１１の上面に骨組み２０を構築する。
図４に示すように、下部シート１１の外周縁部を上向きに折り曲げて、骨組み２０の側面の下部を覆う。また、上部シート１２を骨組み２０の上側から被せて、上部シート１２によって骨組み２０の上面および側面を覆う。
さらに、上部シート１２の下縁部と下部シート１１の上縁部とを骨組み２０の内側から粘着テープ３０によって貼り合わせる。
これにより、骨組み２０の内部空間は、下部シート１１および上部シート１２によって密閉された空間となる。
【００２９】
図２に示すように、第二出入口２２ａおよび第三出入口２３ａを間切りシート１３によって覆うことで、骨組み２０の内部空間に前室２、洗浄室３および更衣室４を区画する。また、洗浄室３の側面にエアシャワー装置３ａを設置する。
さらに、各出入口２１ａ〜２４ａを覆っている各シート１１〜１４にスリット２１ｂ〜２４ｂをそれぞれ形成し、第四スリット２４ｂには線ファスナー２４ｃを設ける。
【００３０】
以上のようにして、本実施形態のセキュリティルーム１を、図１に示すように、建物Ａの開口部Ａ２に隣接して設置し、第一出入口２１ａを開口部Ａ２に連通させる。
なお、作業空間Ａ１には図示しない集塵装置が設置されており、集塵装置が作業空間Ａ１内の空気を吸い込むことで、作業空間Ａ１内は負圧になっている。
【００３１】
作業空間Ａ１でアスベストやダイオキシンなどの有害物質の処理作業を行った作業者は、図２に示すように、作業空間Ａ１から第一スリット２１ｂを通過して前室２に移動する。そして、作業者は前室２で作業着を脱衣する。
【００３２】
作業者は作業着を脱衣した後に、前室２から第二スリット２２ｂを通過して洗浄室３に移動する。洗浄室３では作業者の身体にエアシャワー装置３ａからエアが吹き付けられ、作業者の身体に付着した塵が除去される。
【００３３】
さらに、作業者は洗浄室３から第三スリット２３ｂを通過して更衣室４に移動し、更衣室４で衣服を着衣する。その後、作業者は第四スリット２４ｂの線ファスナー２４ｃを開けて、第四スリット２４ｂを通過して外部空間Ｂに移動する。また、作業者は第四スリット２４ｂを通った後に線ファスナー２４ｃを閉じて第四スリット２４ｂを封止する。
【００３４】
なお、作業空間Ａ１は負圧となっているため、作業者が各スリット２１ｂ〜２４ｂを開いても、外部空間Ｂ側に空気が流れないため、セキュリティルーム１内の空気が外部空間Ｂに流出するのを防ぐことができる。
【００３５】
以上のようなセキュリティルーム１では、図２に示すように、第四スリット２４ｂを線ファスナー２４ｃによって封止することで、更衣室４と外部空間Ｂとの間を確実に遮蔽することができるため、外部空間Ｂに対する遮蔽性を高めることができる。
【００３６】
また、各スリット２１ｂ〜２４ｂは縦方向だけではなく横方向にも連続して形成されており、各スリット２１ｂ〜２４ｂを開いたときの開口幅が大きくなるため、作業者が各スリット２１ｂ〜２４ｂを通過し易くなっている。
特に、外部空間Ｂに通じる第四スリット２４ｂでは、外部空間Ｂに対する遮蔽性を高めつつ、作業者が第四スリット２４ｂを通過し易くなっている。さらに、第四スリット２４ｂは、線ファスナー２４ｃによってスムーズに開閉することができる。
【００３７】
以上、本発明の実施形態について説明したが、本発明は前記実施形態に限定されることなく、その趣旨を逸脱しない範囲で適宜に変更が可能である。
例えば、本実施形態では、図２に示すように、第四スリット２４ｂに線ファスナー２４ｃが設けられているが、ファスナーの種類は限定されるものではなく、面ファスナーや点ファスナーを用いてもよい。
【００３８】
また、本実施形態では、第二出入口２２ａおよび第三出入口２３ａが間切りシート１３によって塞がれているが、第二出入口２２ａおよび第三出入口２３ａにエアカーテン装置を設け、空気の気流によって隣り合う空間の間を遮蔽してもよい。
【符号の説明】
【００３９】
１      セキュリティルーム
２      前室
３      洗浄室
３ａ    エアシャワー装置
４      更衣室
１１    下部シート
１２    上部シート
１３    間切りシート
２１    第一枠体
２１ａ  第一出入口
２１ｂ  第一スリット
２２    第二枠体
２２ａ  第二出入口
２２ｂ  第二スリット
２３    第三枠体
２３ａ  第三出入口
２３ｂ  第三スリット
２４    第四枠体
２４ａ  第四出入口
２４ｂ  第四スリット
２４ｃ  線ファスナー
３０    粘着テープ
Ａ      建物
Ａ１    作業空間
Ａ２    開口部
Ｂ      外部空間
【図１】
2015004196.tif 000003
【図２】
2015004196.tif 000004
【図３】
2015004196.tif 000005
【図４】
2015004196.tif 000006